(57)【要約】【課題】連結ファスナーを装填した後でもネイルサポートの高さ位置を容易に調整する。【解決手段】ネイルサポート１２をガイドポスト１３によって上下方向に沿ってスライド可能に支持するようにした連結ファスナーのマガジン６において、ガイドポスト１３の互いに対向する壁部に、水平溝２３ａと傾斜溝３２ｂとが交互に螺旋状に連続するガイド溝２３を、水平溝２３ａと傾斜溝２３ｂが互いに向き合うように貫通形成するとともに、対向するガイド溝２３を貫通するガイドピン２４を上記ネイルポスト１３に対して直径方向に貫通させ、これによりネイルサポート１２を回転させることによってその高さ位置を調整する。【選択図】図４
2011104708.tif 000002
【特許請求の範囲】
【請求項１】
多数のファスナーを連結してコイル状に巻回した連結ファスナーを収納する有底半円筒状のマガジン主体と、該マガジン主体の底部に回動自在に支持された有底半円筒状のマガジンキャップと、上記マガジン主体の底部に立設されたガイドポストと、コイル状に巻き回した連結ファスナー５を載置するサポート部材の中央部に上記ネイルポストの外側に嵌合されるネイルポストを立設して成るネイルサポートとを備え、ネイルサポートをガイドポストによって上下方向に沿ってスライド可能に支持するようにした連結ファスナーのマガジンにおいて、
上記ネイルサポートを上記ガイドポストのまわりに回転可能とし、回転によってネイルサポートの高さ位置を調整可能としたことを特徴とする連結ファスナーのマガジン。
【請求項２】
上記ガイドポストの互いに対向する壁部に、水平溝と傾斜溝とが交互に螺旋状に連続するガイド溝を、水平溝と傾斜溝が互いに向き合うように貫通形成するとともに、対向するガイド溝を貫通するガイドピンを上記ネイルポストに対して直径方向に貫通させたことを特徴とする、請求項１に記載の連結ファスナーのマガジン。
【請求項３】
上記サポート部材又はネイルポストの外周縁に回転操作用の指当て部を形成したことを特徴とする、請求項１又は２に記載の連結ファスナーのマガジン。
【請求項４】
上記サポート部材の外周縁に高さ位置表示部を設けたことを特徴とする、請求項１〜３のいずれかに記載の連結ファスナーのマガジン。
【請求項５】
多数のファスナーを連結してコイル状に巻回した連結ファスナーを収納する有底半円筒状のマガジン主体と、該マガジン主体の底部に回動自在に支持された有底半円筒状のマガジンキャップと、上記マガジン主体の底部に立設されたガイドポストと、コイル状に巻き回した連結ファスナー５を載置するサポート部材の中央部に上記ネイルポストの外側に嵌合されるネイルポストを立設して成るネイルサポートとを備え、ネイルサポートをガイドポストによって上下方向に沿ってスライド可能に支持するようにした連結ファスナーのマガジンにおいて、
上記マガジンキャップは、上記マガジン主体の半円状の底部にその直径方向に設けられた支軸を中心に回動可能に設けられているとともに、上記支軸は上記連結ファスナーの送り方向に対して一定の角度をなし、上記マガジンキャップが開き方向に回動するにつれて上記ノーズ部側に近づくように傾かせることを特徴とする連結ファスナーのマガジン。
【請求項６】
請求項１〜５に記載の連結ファスナーのマガジンを備えたことを特徴とする打ち込み工具。
【発明の詳細な説明】
【技術分野】
【０００１】
本発明は、コイル状に巻回した連結ファスナーを装填するマガジン及びこのマガジンを備えた打ち込み工具に関する。
【背景技術】
【０００２】
この種のマガジンを備えた打ち込み工具として、例えば多数のファスナーをワイヤを介して連結してなる連結ファスナーを使用するファスナー打機は従来から良く知られている。マガジン本体の内部にはコイル状の連結ファスナーを保持するネイルサポートが配置されている。ネイルサポートは使用するファスナーの長さに合わせてその高さ位置を変更することができるようになされており、高さ変更のための目印となる刻印はマガジンの内壁面に通常設けられている。
【０００３】
連結ファスナーの上方に突出したネイルポストの上端部分を摘んで回転させることによりネイルサポートの高さ位置を変更することができるようにしたものが知られている（特許文献１参照）。
【０００４】
また、マガジンを開放したとき、同時にネイルサポートが傾斜するタイプのものも知られている（特許文献２参照）。ネイルサポートが傾斜すると、マガジン本体からネイルサポートが大きく露出するので、連結ファスナーを装填する作業が容易となる。
【０００５】
さらに、ファスナー打機のマガジンに連結ファスナーを装填するには、マガジン本体に収納した連結ファスナーの先頭のファスナーをノーズ部に形成された射出口に収納してからマガジンキャップを閉め、ノーズ部のドアを閉めるという作業が必要である。しかも、コイル状に巻回された連結ファスナーはワイヤの曲がり癖のため、射出口に先頭ファスナーを収納させた状態を保持しておかなければならない。
【先行技術文献】
【特許文献】
【０００６】
【特許文献１】実公平５−４０９３９号公報
【特許文献２】特許第３３９７０８０号公報
【発明の概要】
【発明が解決しようとする課題】
【０００７】
しかしながら、特許文献１のマガジン構造では、調整位置を示す刻印は連結ファスナーをネイルサポートに載せてしまうと隠れて見えなくなるだけでなく、連結ファスナーからネイルサポートが露出する部分はわずかなので、摘んで調整することはできない。扱いに慣れれば、連結ファスナーとマガジンの上底部との間の間隔を見るだけで、所定の高さ位置を感覚的に知ることができるが、連結ファスナーを装填した後は調整できないので、高さの感覚を活かすこともできない。
【０００８】
また、マガジンの開放動作に連動してネイルサポートが傾く特許文献２のマガジンでは、連結ファスナーの装填にあたってマガジン本体を開放させてしまうと、ネイルサポートが傾き、傾斜したネイルサポートがマガジン本体に収まっているときにどの高さ位置にあるかはわかりにくい。したがって、上記いずれのマガジンも、連結ファスナーをマガジンに入れる前にファスナーの長さに応じたネイルサポートの高さ調整をしておかなければならない、という問題がある。
【０００９】
さらに、マガジンに連結ファスナーを装填する場合、ファスナー打機を地面や床において装填するときは両手が使えるので問題ないが、片手でファスナー打機を持ち、他方の手で装填作業を行うときは、マガジン本体に収納した連結ファスナーの先頭のファスナーを射出口に収納し、先頭ファスナーを押えてこの状態を保持したままマガジンキャップを閉め、ノーズ部のドアを閉めるという作業は困難である。特に、先頭ファスナーを押えながら、マガジンキャップを閉めるという動作は、射出口とマガジンキャップとの間に距離があるので、片手だけによる操作は困難である。
【００１０】
本発明は上記問題点を解消し、連結ファスナーを装填した後でもネイルサポートの高さ位置を容易に調整することができる連結ファスナーのマガジンを提供することをその第１の課題とする。
【００１１】
また、本発明は、マガジンに連結ファスナーを装填した後に、そのマガジンキャップを片手で容易に閉じることができる連結ファスナーのマガジンを提供することをその第２の課題とする。
【００１２】
さらに、本発明は、上記マガジンを備えた打ち込み工具を提供することをその第３の課題とする。
【課題を解決するための手段】
【００１３】
前記第１の課題を解決するため、請求項1に係る発明は、多数のファスナーを連結してコイル状に巻回した連結ファスナーを収納する有底半円筒状のマガジン主体と、該マガジン主体の底部に回動自在に支持された有底半円筒状のマガジンキャップと、上記マガジン主体の底部に立設されたガイドポストと、コイル状に巻き回した連結ファスナーを載置するサポート部材の中央部に上記ネイルポストの外側に嵌合される筒部を立設して成るネイルサポートとを備え、ネイルサポートをガイドポストによって上下方向に沿ってスライド可能に支持するようにした連結ファスナーのマガジンにおいて、上記ネイルサポートを上記ガイドポストのまわりに回転可能とし、回転によってネイルサポートの高さ位置を調整可能としたことを特徴とする。
【００１４】
請求項２に係る発明は、請求項１において、上記ガイドポストの互いに対向する壁部に、水平溝と傾斜溝とが交互に螺旋状に連続するガイド溝を、水平溝と傾斜溝が互いに向き合うように貫通形成するとともに、対向するガイド溝を貫通するガイドピンを上記ネイルポストに対して直径方向に貫通させたことを特徴とする。
【００１５】
請求項３に係る発明は、請求項１又は２において、上記サポート部材又はネイルポストの外周縁に回転操作用の指当て部を形成したことを特徴とする。
【００１６】
請求項４に係る発明は、請求項１〜３のいずれかにおいて、上記サポート部材の外周縁に高さ位置表示部を設けたことを特徴とする。
【００１７】
また、第２の課題を解決するため、請求項５に係る発明は、多数のファスナーを連結してコイル状に巻回した連結ファスナーを収納する有底半円筒状のマガジン主体と、該マガジン主体の底部に回動自在に支持された有底半円筒状のマガジンキャップと、上記マガジン主体の底部に立設されたガイドポストと、コイル状に巻き回した連結ファスナーを載置するサポート部材の中央部に上記ネイルポストの外側に嵌合される筒部を立設して成るネイルサポートとを備え、ネイルサポートをガイドポストによって上下方向に沿ってスライド可能に支持するようにした連結ファスナーのマガジンにおいて、上記マガジンキャップは、上記マガジン主体の半円状の底部にその直径方向に設けられた支軸を中心に回動可能に設けられているとともに、上記支軸は上記連結ファスナーの送り方向に対して一定の角度をなし、上記マガジンキャップが開き方向に回動するにつれて上記ノーズ部側に近づくように傾かせることを特徴とする。
【００１８】
さらに、第３の課題を解決するため、請求項６に係る発明は、請求項１〜５に記載の連結ファスナーのマガジンを備えたことを特徴とする。
【発明の効果】
【００１９】
請求項１に係る発明によれば、ネイルサポートをガイドポストによって上下方向に沿ってスライド可能に支持するようにした連結ファスナーのマガジンにおいて、上記ネイルサポートを上記ガイドポストのまわりに回転可能とし、回転によってネイルサポートの高さ位置を調整可能としたので、ネイルサポートのどの部位を持ってもネイルサポートを回転させることができるから、連結ファスナーを装填した後でもその高さ位置の調整作業を楽に行うことができる。
【００２０】
請求項２に係る発明によれば、ガイドポストの互いに対向する壁部に、水平溝と傾斜溝とが交互に螺旋状に連続するガイド溝を、水平溝と傾斜溝が互いに向き合うように貫通形成するとともに、対向するガイド溝を貫通するガイドピンを上記ネイルポストに対して直径方向に貫通させた構成であるから、ガイドポストに対してネイルポストを高い強度で回転可能に支持することができるとともに、回転によってガイドピンが水平溝に係合した位置でネイルサポートの高さ位置を調整することができる。
【００２１】
請求項３に係る発明によれば、サポート部材又はネイルポストの外周縁に回転操作用の指当て部を形成したので、連結ファスナーを装填した後に高さ位置を調整する際の回転操作が容易になる。
【００２２】
請求項４に係る発明によれば、サポート部材の外周縁に高さ位置表示部を設けたので、連結ファスナーを装填した後であっても、高さ位置表示部を見てネイルサポートを適正な高さ位置に容易に調整することができる。
【００２３】
請求項５に係る発明によれば、マガジンキャップは、マガジン主体の半円状の底部にその直径方向に設けられた支軸を中心に回動可能に設けられているとともに、支軸は連結ファスナーの送り方向に対して一定の角度をなし、マガジンキャップが開き方向に回動するにつれて上記ノーズ部側に近づくように傾かせる構成であるから、打ち込み工具を片手に持ち、他方の手で開いたドアとマガジンキャップを閉じる場合、他方の手の親指をノーズ部の近くにある連結ファスナーの先端側に当てて先頭ファスナーがワイヤの曲り癖によって外に飛び出さないように保持しつつ、他の指でマガジンキャップを閉じ操作するときに上記他の指をマガジンキャップに無理なく当てて容易確実に閉じ作動させることができる。
【００２４】
請求項６に係る発明によれば、打ち込み工具の使い勝手が非常によくなる。
【図面の簡単な説明】
【００２５】
【図１】本発明に係る打ち込み工具（ファスナー打機）の全体の側面図
【図２】ファスナー打機のマガジンを開放した状態の側面図
【図３】ファスナー打機のマガジンに連結ファスナーが装填された状態を示す側面図
【図４】マガジン主体とガイドポストを示す斜視図
【図５】ネイルサポートとガイドポストの縦断面図
【図６】マガジンに連結ファスナーが装填された状態を示す側面図
【図７】（ａ）（ｂ）はネイルサポートの平面図及び正面図
【図８】マガジンの底面図
【図９】マガジンに連結ファスナーを装填した後に片手でマガジンキャップを閉じる態様を示す斜視図
【発明を実施するための形態】
【００２６】
以下、本発明を図面に基づいて説明する。なお、図１はファスナー打機の全体の側面図、図２はマガジンを開放した状態の側面図であり、図３は連結ファスナーの装填時の側面図である。
【００２７】
図１において符号Ａはファスナー打機を示す。ファスナー打機Ａはボディ１の後部にグリップ２を、ボディ１の下部には射出口を有するノーズ部７をそれぞれ一体に設け、ノーズ部７の後部には射出口にファスナーを供給するマガジン６を連設したもので、ボディ１内には打撃機構が設けられ、グリップ２の後端から取り込んだ圧縮空気をボディ１とグリップ２の内部に貯留しておき、トリガ３を引き操作することにより、圧縮空気で打撃機構を作動させ、マガジン６からノーズ部７の内部に供給されたファスナーを打出すように構成されている。
【００２８】
なお、連結ファスナー５は多数のファスナーａをワイヤ１１を介して連結したもので、コイル状に巻回されてマガジン６に収納されている。連結ファスナー５の先頭ファスナーは図示しないファスナー送り機構によりファスナー供給通路１０を通って前方のノーズ部７の射出口９に順次供給される。ファスナー供給通路１０はドア８によって開閉可能となっている。
【００２９】
次に、マガジン６は、主にマガジン本体４とネイルサポート１２とガイドポスト１３とから構成されている。
【００３０】
図２〜図４に示されるように、マガジン本体４は、マガジン主体４ａとマガジンキャップ１４とからなり、マガジン主体４ａは、上底部１５ａと下底部１６ａと半円筒部１７ａとからなる有底半円筒状の形状をなしている。マガジンキャップ１４も、上底部１５ｂと下底部１６ｂと半円筒部１７ｂとからなる有底半円筒状の形状をなしている。マガジン主体４ａの下底部１６ａには支軸１８が設けられ、この支軸１８にマガジンキャップ１４が回動自在に支持されている。これにより、マガジンキャップ１４を回動させることにより、マガジン本体４は中央から割れて大きく開口する。
【００３１】
ガイドポスト１３は円筒状で、マガジン本体４の中央部に配置され、マガジン主体４ａの支軸１８の中央部に回動自在に支持され、捩りコイルバネ１９（図８参照）によりマガジン主体から離れる方向にマガジンキャップ１４の下底部１６ａに対して垂直になるように付勢されている。ガイドポスト１３の下部には、図５に示されるように、マガジンキャップ１４の下底部１６ｂに直角に係合するように係合片２０が形成されている。
【００３２】
ネイルサポート１２は、連結ファスナー５を載置する円形のサポート部材２１の中央部にネイルポスト２２を立設して成るもので、ネイルポスト２２はガイドポスト１３の外側に嵌合され、上下方向に沿ってスライド可能に支持されている。
【００３３】
マガジンキャップ１４が閉じているときは、ガイドポスト１３に支持されているネイルサポート１２のサポート部材２１の外周縁と、マガジンキャップ１４の半円筒部１７ｂの内壁と接触して垂直に起立している。また、マガジンキャップ１４が開口方向に回動すると、ガイドポスト１３も所定の角度まで支軸１８ととともに回動する。つまり、図５の左側がマガジン主体側、右側がマガジンキャップ側であるが、ガイドポスト１３は同図の右方向に倒れる。５０〜６０度ほど傾斜すると、支軸１８の左下の三角形状の突起２９の斜辺がマガジン主体の下底部１６ａに当り、傾斜が規制される。そこで、連結ファスナーをネイルサポート１２に載せると、その重みでマガジン主体４ａの方向に起き上がる。そのときに、ガイドポスト１３の係合片２０とマガジン主体４ａの下底部１６ａが係合すると同時に、ネイルサポート１２のサポート部材２１の外周縁とマガジン主体４ａの半円筒部１７ａの内壁と接触し、直立状態になる。
マガジンキャップ１４が閉じ方向に回動すると、マガジンキャップ１４の下底部１６ｂにガイドポスト１３の係合片２０が係合するので、ガイドポスト１３も一体に回動し、マガジン主体４ａの下底部１６ａに対して垂直に起立して連結ファスナー５を保持する。
【００３４】
上記マガジン構成によれば、コイル状に巻きまわした連結ファスナー５をマガジン６に装填する場合、マガジン本体４のマガジンキャップ１４を支軸１８を中心に下方に回動してマガジン本体４を図２のように開放する。このときにネイルサポート１２が傾くので、ネイルポスト２２を連結ファスナー５の中心孔に挿入し、さらにマガジンキャップ１４を上方向に回動して図１のように閉じればよい。
【００３５】
ところで、ネイルサポート１２はガイドポスト１３のまわりに回転可能で、回転することによって、装填された連結ファスナー５のファスナーの長さに応じてマガジン本体４内における高さ位置を調整できるように構成されている。すなわち、図４及び図５に示されるように、ガイドポスト１３には、互いに対向する壁部に、水平溝２３ａと傾斜溝２３ｂとを交互に螺旋状に連続するガイド溝２３が、水平溝２３ａと傾斜溝２３ｂが互いに向き合うように貫通形成されている。傾斜溝２３ｂは、ファスナーが消費されるに伴って連結ファスナー５が回転する先に設けられている。ファスナーが消費されると連結ファスナー５は上から見て右回転するので、傾斜溝２３ｂは水平溝２３ａに向かって左側に形成されるようにする。
【００３６】
サポート部材２１の下方にはネイルポスト２２の延長部２２ａが形成され、延長部２２ａにはガイドピン２４が嵌挿され、ガイドピン２４はガイドポスト１３の対向するガイド溝２３を貫通している。
【００３７】
上記ネイルポスト２２の支持機構によれば、ネイルサポート１２を回転させると、ガイドピン２４はガイド溝２３に沿って摺動する。水平溝２３ａに沿って摺動するときはネイルサポート１２の高さ位置は同じであるが、傾斜溝２３ｂに沿って摺動すると、ガイド溝２３とともにネイルサポート１２も上方又は下方に移動しながら回転するからその高さ位置も変化する。上記実施形態では、４個の水平溝２３ａが９０°間隔に形成されているから、ネイルサポート１２の高さ位置を４段階に切り替え調整することができる。
【００３８】
また、マガジン主体４ａの内壁には図６に示すように、水平溝２３ａに対応する高さ位置を示す目盛２５が刻印されている。これにより、ネイルサポート１２がどの高さ位置にあるかを目視することができる。
【００３９】
さらに、ネイルサポート１２のサポート部材２１の外周縁には、図７（ｂ）に示されるように、等間隔に４個の高さ位置表示部２６が下方に突出形成されている。これらの高さ位置表示部２６は連結ファスナーのファスナーの軸長に適したサポート部材２１の高さを示すもので、ガイドポスト１３の水平溝２３ａが正面に対応するように位置決めするとともに、ガイドピン２４の延長方向に４個中２個の高さ位置表示部２６が対応するように形成するのが好ましい。
【００４０】
また、サポート部材２１には高さの調整位置が表示されているので、連結ファスナー５を装填した後、連結ファスナー５が邪魔してマガジン主体４ａの目盛２５が見えないときでも、高さ位置表示部２６を見てネイルサポート１２を容易に所望の適正な高さ位置に調整することができる。しかも、扱いに慣れれば、図６に示されるように、連結ファスナー５のファスナー頭とマガジン主体４ａの上底部１５ａとの間の間隔Ｈを見ることによっても、所定の高さ位置を感覚的に知ることができるので、特に目盛などを見なくても容易に調整操作することができる。
【００４１】
さらに、高さ位置表示部２６はあるいはサポート部材２１より下方に突出した部分の外面に設けられているので、連結ファスナーが直接に接触することがなく、磨耗しないので鮮明な表示を保つことができる。
【００４２】
なお、高さ位置表示部２６はサポート部材２１の外周縁の端面かそれよりも下方の、連結ファスナーが接触しにくい部位に形成されていればよく、その形状は突起に限定されない。例えば、外周縁の端面に目印を付して表示する構成であってもよい。
【００４３】
次に、サポート部材２１の外周縁には、図７に示されるように、回転操作用の指当て部２７が形成されている。この指当て部２７は指が滑らないように、凹面部によって構成するか滑り止めを施すかするのが好ましい。これによれば、連結ファスナー５を装填した後に高さ位置を調整する際に指当て部２７に指を当てて回すことができるので、確実に回転操作をすることができる。指当て部２７を高さ位置表示部２６に設けることにより、指の位置でネイルサポート１２が調整位置にあるかどうかを知ることができる。
【００４４】
なお、指当て部２７はサポート部材２１の外周縁に限定されず、図７（ｂ）に示されるように、ネイルポスト２２に指当て部２７ａを形成してもよい。その形状も図示したものに限定されない。
【００４５】
また、マガジンキャップ１４はマガジン主体４ａに対して横方向に回転して開閉するように構成することもできる。
【００４６】
次に、コイル状に巻き回した連結ファスナー５をマガジン６に装填する場合、上述のようにマガジンキャップ１４を開くほかに、ノーズ部７のドア８を開き、マガジン本体４に収納した連結ファスナー５の先端側を引き出し、先頭のファスナーをノーズ部７の射出口９の内側に納めた後、ドア８とマガジンキャップ１４を閉じる操作をしなければならないが、これを片手で簡単に操作できるようにするため、マガジンキャップ１４の回動方向を次のように設定している。
【００４７】
すなわち、図８に示されるように、マガジンキャップ１４を回動可能に支持する支軸１８は、連結ファスナー５の送り方向に対して一定の角度αをなすように設けられている。この角度αは、マガジンキャップ１４が開き方向に回動するにつれてノーズ部７側に近づきながら傾くようにする角度であり、１５°〜３０°程度でよい。なお、図８はマガジン６の底面図である。
【００４８】
上記構成のマガジンキャップ１４の開閉機構によって、コイル状に巻きまわした連結ファスナー５をマガジン６に装填する場合、まずノーズ部７のドア８を開いてファスナー供給通路を開放するとともに、マガジン本体４のマガジンキャップ１４を支軸１８を中心に図９のように下方に回動してマガジン本体４を開放する。このとき、マガジンキャップ１４の支軸１８は、連結ファスナー５の送り方向に対して一定の角度をなしているから、支軸が送り方向に設けられているものに比べ、図８の矢印のようにマガジンキャップ１４が開き方向に回動するにつれて、その上底部１５ｂはノーズ部７側（図の左側）に近づくように傾いていく。マガジンキャップ１４はドア８にも近づいていく。そして、ネイルポスト２２に連結ファスナー５の中心孔を挿入し、さらに連結ファスナー５をマガジン６の外側に引き出してファスナー供給通路に添わせつつ、その先頭ファスナーをノーズ部７の射出口９に収納する。その後、ドア８とマガジンキャップ１４を閉じればよい。
【００４９】
ところで、ファスナー打機Ａを片手（右利きの場合右手）に持ち、他方の手（左手）でファスナー打機Ａの装填作業を行う場合、左手で図３のようにドア８とマガジンキャップ１４を開き、連結ファスナー５をマガジン６内に収納し、さらに連結ファスナー５の一部を引き出して先頭ファスナーをノーズ部７の射出口９に収納する。その後、ドア８とマガジンキャップ１４を閉じるときは、射出口９に収納した先頭ファスナーがワイヤの曲り癖によって外に飛び出さないように、図９に示されるように、左手の親指で連結ファスナー５の先端側をファスナー供給通路１０に押し付けて保持し、薬指又は薬指と小指を開放状態にあるマガジンキャップ１４の下底部１６ｂの裏側に当て、手を握りこんでマガジンキャップ１４を上側に持ち上げるようにすると、合成樹脂製で軽いマガジンキャップ１４は支軸１８を中心に回動して閉じ状態となる。このとき、閉じ状態に保持できる程度にすれば足りる。次に、マガジンキャップ１４から指を離し、左手の親指で連結ファスナー５の先端側をファスナー供給通路に押し付けたまま、自由になった人差し指をノーズ部７側にまわし、人差し指でドア８を閉じる。マガジンキャップ１４とドア８を閉めた後、両方を上からしっかりとロックすればよい。
【００５０】
なお、マガジンキャップ１４の閉じ方は上述の例に限定されない。例えば、薬指や小指を使わずに、手首をマガジンキャップ１４に当てて押し回すようにして閉じてもよい。
【００５１】
上述のように、左手の親指で連結ファスナー５の先端側をファスナー供給通路に押し付けたまま、薬指又は薬指と小指をマガジンキャップ１４の下底部１６の裏側に当てる際、親指はノーズ部７の射出口９の近傍に当てなければならないので、マガジンキャップ１４はできるだけノーズ部７に近い位置にあるのが好ましい。これに対応し、マガジンキャップ１４は開き方向に回動するにつれてノーズ部７側に近づくように傾いていくから、閉じるときも薬指や小指をマガジンキャップ１４に無理なく当てて容易確実に閉じ作動させることができる。
【００５２】
なお、本発明は連結ファスナーのマガジンとファスナー打機に限定されない。打ち込みネジなどの連結ファスナーとその打ち込み工具などにも適用することができる。
【符号の説明】
【００５３】
１      ファスナー打機
６      マガジン
４      マガジン本体
４ａ    マガジン主体
７      ノーズ部
１２    ネイルサポート
１３    ガイドポスト
１４    マガジンキャップ
１８    支軸
２１    サポート部材
２２    ネイルポスト
２３    ガイド溝
２３ａ  水平溝
２３ｂ  傾斜溝
２４    ガイドピン
【図１】
2011104708.tif 000003
【図２】
2011104708.tif 000004
【図３】
2011104708.tif 000005
【図４】
2011104708.tif 000006
【図５】
2011104708.tif 000007
【図６】
2011104708.tif 000008
【図７】
2011104708.tif 000009
【図８】
2011104708.tif 000010
【図９】
2011104708.tif 000011